(57)【特許請求の範囲】
【請求項１】
強靭性に優れた通気性シート基材（１１）の略全面に亘って、トルマリンの微粉と窯土類の微砂、吸放水ポリマーの微粉及び粘着剤、分散剤の混合物層（１２）が略平面的に規則的又は不規則的配列をもって設けられた第１のシート体（１０）と、
不織布等の浸透性に優れたシート基材（２１）の略全面に亘って、遠赤外線放射セラミック系抗菌防臭剤と植物性のテルミナリアエキスとブッチャーブルームエキスを成分とするスリミング成分加工剤、ビタミンＣ誘導体製剤及びジャスミン茶香気成分剤と粘着剤との混合液が含浸されて、下面（２１ａ）側に前記混合液のコーティング層（２２）が形成された第２のシート体（２０）と
を含み、かつ前記第１のシート体（１０）における混合物層シート面と、前記第２のシート体（２０）における非コーティング層シート面が一体的に圧着接合されて１枚のシート状に形成された構成を特徴とする機能性シート。
【発明の詳細な説明】
【０００１】
【発明の属する技術分野】
本発明は、主に枕カバーや蒲団カバー、敷物カバー等のカバー類や下着類に応用され、マイナスイオン効果と遠赤外線効果、保温・抗菌防臭効果、スリミング効果、スキンケア及び免疫力の強化効果、安眠効果等の諸効果が同時に得られる機能性シートに関するものである。
【０００２】
【従来の技術】
トルマリン（Ｔｏｕｒｍａｌｉｎｅ）は、鉱石の１種で、電子を流し続けるところから日本名では「電気石」と呼ばれ、このトルマリンは圧力や温度変化等を受けると微電流が流れ、マイナスイオンを発生する特性を有し、マイナスイオンの空気は、肺から１６％、体表から８４％の割合で体内に吸収され、血液を弱アルカリにさせ、体内のイオン交換を助け、血液を浄化しアレルギーを緩和し、動脈硬化、肝臓障害等を抑制する等の効果があることが知られている。また、トルマリンは加圧や加熱により外部から入ってきたエネルギーを遠赤外線に変換して放射する特性を有し、細胞機能増進、過酸化脂質抑制、ガン、白血病細胞の活力削減等の治療効果があることが知られている。
【０００３】
そこで、本発明者は、先にこのトルマリンの効果を利用したトルマリンシート及びそれを枕カバー等に応用した商品について考案し、実用新案登録出願（実願２００２−０００６９５）をし、実用新案登録（登録第３０８７９８９号）を取得した。
【０００４】
この実用新案登録に係るトルマリンシートは、表裏２枚の通気性シート基材の間にトルマリンの微粉と窯土類の微砂の混合物が略全面に亘り略平面的に規則的或いは不規則的配列で接着剤を介して接合された構造のものである。
【０００５】
このトルマリンシートは、加熱・加圧・加水等の外的作用が無くともトルマリンのマイナスイオン効果を発揮して、それなりの諸効果を有するも、それ以上の、例えば、皮膚引き締め効果（スリミング効果）、スキンケア及び免疫力の強化効果、安眠効果等を同時に発揮することはできないものであった。
【０００６】
【発明が解決しようとする課題】
本発明は、先の実用新案登録第３０８７９８９号に係るトルマリンシートを更に改善したもので、その目的とするところは、トルマリンのマイナスイオン効果と遠赤外線効果の他に、保温・抗菌防臭効果、皮膚引き締め効果（スリミング効果）、スキンケア及び免疫力の強化効果、安眠効果等の諸効果が同時に得られるという多機能を有する機能性シートを提供することにある。
【０００７】
【課題を解決するための手段】
この目的のため、本発明の請求項１に記載の機能性シートは、  強靭性に優れた通気性シート基材１１の略全面に亘って、トルマリンの微粉と窯土類の微砂、吸放水ポリマーの微粉及び粘着剤、分散剤の混合物層１２が略平面的に規則的又は不規則的配列をもって設けられた第１のシート体１０と、不織布等の浸透性に優れたシート基材２１の略全面に亘って、遠赤外線放射セラミック系抗菌防臭剤と植物性のテルミナリアエキスとブッチャーブルームエキスを成分とするスリミング成分加工剤、ビタミンＣ誘導体製剤及びジャスミン茶香気成分剤と粘着剤との混合液が含浸されて、下面２１ａ側に前記混合液のコーティング層２２が形成された第２のシート体２０とを含み、かつ前記第１のシート体１０における混合物層シート面と、前記第２のシート体２０における非コーティング層シート面が一体的に圧着接合されて１枚のシート状に形成された構成を特徴とするものである。
【０００８】
本発明の請求項２に記載の機能性シートは、前記第１のシート体１０のシート基材１１は強靭性に優れ、前記第２のシート体２０のシート基材２１は浸透性に優れた基材であることを特徴とするものである。
【０００９】
本発明の請求項３に記載の機能性シートは、前記第１のシート体１０における非混合物層シート面に光触媒加工が施されていることを特徴とするものである。
【００１０】
【発明の実施の形態】
本発明の実施の形態について図面を参照し、その作用と共に説明する。
【００１１】
図１は本発明に係る機能性シートの一例での一部省略の断面図、図２は第１のシート体の一部省略の平面図、図３は図２の３−３線に沿った部分拡大断面図、図４は第２のシート体の一部省略の平面図、図５は図４の４−４線に沿った部分拡大断面図、図６は本機能性シートの製造工程を示す概略模式図である。
【００１２】
これら図において、第１のシート体１０は、シート基材１１の略全面に亘って、トルマリンの微粉と窯土類の微砂、吸放水ポリマーの微粉及び粘着剤、分散剤の混合物層１２が略平面的に規則的又は不規則的配列をもって設けられたものである。
【００１３】
シート基材１１としては、強靭にして、通気性を有する木綿或いは不織布が好ましいが、通気性が良好で、強度も有り、混合物層１２との接合性が良ければ他のシート材であっても良い。
【００１４】
シート基材１１は、目付け１平方メートルあたり４０グラムのコットンが用いられる。
【００１５】
トルマリンとしては、六方晶系の極性構造体であるショールトルマリンが好ましいが、リチアトルマリン或いはトラバイトトルマリンでもよい。
【００１６】
トルマリンの粉末の粒子径は３ミクロン程度が性能上最も好ましいが、それ以上でも以下でも効能は発揮される。
【００１７】
窯土類の微粉は、Ｏ、Ｎａ、Ｍｇ、Ａｌ、Ｓｉ、Ｋ、Ｃａ、Ｔｉ、Ｖ、Ｍｎ、Ｆｅ、Ｎｉ、Ｃｕ、Ｚｎ、Ｓｒ等の元素を含む土であり、これらを焼結後粉砕して微砂としたが、他の方法で微砂化してもよい。
【００１８】
窯土の微砂は、トルマリンに対して５対１の割合で混ぜた場合に、トルマリンのマイナスイオン効果を次第に引き出せるが、それ以外の混合比でもよい。
【００１９】
吸放水ポリマーは、吸放湿の平衡点が相対湿度６０％程度のものが好ましく、このような吸放水ポリマーを粉末状にして、トルマリン微粉と窯土の微砂の混合物に混合させるか、吸放水ポリマーに油や安定剤やアルコールを混入してなる溶液をシート基材にコーティングする等の手段によって、トルマリンのイオン効果を促進する。
【００２０】
なお、吸放水ポリマーの使用量については、吸放水ポリマーの種類によって異なるので、特に限定しない。
【００２１】
トルマリンの微粉と窯土類の微砂、吸放水ポリマーの微粉及び粘着剤、分散剤の混合物層１２は、シート基材１１の略全面に亘って略平面的に規則的又は不規則的配列をもって設けられるが、図２においては、混合物層１２は市松模様に配列されて混合物層１２同志は連結されているが、これに限定されず、混合物層１２は、島状に間隔をあけて配列してもよい。
【００２２】
このようにして形成の第１のシート体１０は、加熱・加圧・加水等の特別な外的作用が無くともトルマリンのマイナスイオン効果、遠赤外線効果を十分に発揮することができる。
【００２３】
第２のシート体２０は、浸透性に優れた木綿或いは不織布等にして、かつシート基材１１と同等のシート基材２１の略全面にコーティング層２２が含浸形成されたものである。
【００２４】
コーティング層２２は、遠赤外線放射セラミック系抗菌防臭剤、テルミナリアエキスとブッチャーブルームエキスを成分とするスリミング成分加工剤、ビタミンＣ誘導体製剤及びジャスミン茶香気成分剤と粘着剤との混合液がロールコーティングされて形成されている。
【００２５】
遠赤外線放射セラミック系抗菌防臭剤は、シリカ、アルミナ、金属酸化物等からなる多孔質のケイ酸塩鉱物であって、高い放射線を放射し、保温性に優れ、又消臭効果として、塩基性悪臭ガス（アンモニア、トリメチルアミン）に対して効果があり、又抗菌効力については、大腸菌、ブドウ球菌、緑膿菌に対して効果が有り、耐洗濯性についても良好である。
【００２６】
スリミング成分加工剤は、植物性のテルミナリアエキスとブッチャーブルームエキスから成り、皮膚引き締め効果（スリミング効果）があって、血行促進、美白の効能があり、又優れた保湿効果があって、洗濯耐久性にも優れている。
【００２７】
ビタミンＣ誘導体製剤は、ビタミンＣを化学修飾することにより、安定性の向上と皮膚への吸収性を向上させた物質であって、皮膚に吸収されたあとビタミンＣに変化する。
【００２８】
このビタミンＣ誘導体製剤は、コラーゲンの生成を助けて肌の健康を促進し、シミ、ソバカス等を薄くする効果、シワを防ぐ効果があり、又免疫機能の中心である白血球の働きを助ける効果があり、スキンケア及び免疫力の強化の効能がある。
【００２９】
ジャスミン茶香気成分剤は、沈静効果をもつジャスミン油をカプセル化した繊維加工用製剤で、メラミン樹脂皮膜が使用され、長期間に亘り効果が持続する。
【００３０】
このジャスミン茶香気成分剤は、沈静作用による安眠効果がある。
【００３１】
そして、１平方メートルあたり遠赤外線放射セラミック系抗菌防臭剤が１０グラム、スリミング成分加工剤が２〜３グラム、ビタミンＣ誘導体製剤が４〜５グラム、ジャスミン茶香気成分剤が６〜１０グラムとされ、更にこれに粘着剤が混合されてこの混合液がロールコーティングされ、コーティング層２２が形成される。
【００３２】
このようにして形成の第２のシート体２０と第１のシート体１０は、混合物層１２の面と非コーティング層のシート面とが一体的に接合されて本機能性シートされる。
【００３３】
因みに、本機能性シートの製造工程を概略的に示した図６を参照して説明すると、トルマリントルマリンの微粉と窯土類の微砂、吸放水ポリマーの微粉及び粘着剤、分散剤の混合溶液１００が入っている溶液槽１０１内で回転するグラビアローラー１０２と上部回転ローラー１０３との間において、ワインダー１０４から引き出されるシート基材１１の下面１１ａに、グラビアローラー１０２に開口されているパターンどおり混合物層１２が図２及び図３に示されているように、規則的に転写加工される。
【００３４】
一方、遠赤外線放射セラミック系抗菌防臭剤、テルミナリアエキスとブッチャーブルームエキスを成分とするスリミング成分加工剤、ビタミンＣ誘導体製剤及びジャスミン茶香気成分剤と粘着剤との混合液２００が入っている溶液槽２０１内で回転する上下回転ローラー２０２、２０３との間において、ワインダー２０４から引き出されるシート基材２１の下面２１ａの全体に混合液のコーティング層２２が形成される（混合液はシート基材２１に含浸することは当然である）。
【００３５】
パターンの転写された第１のシート体１０は前方に送られ、コーティング層２２の形成された第２のシート体２０は上下一対の回転ローラー２０５、２０６間を通して前方に送られ、第１のシート体１０と第２のシート体２０は、回転している上下一対のヒーター付プレスローラー１０５、１０６間において、一体的に圧着接合される。
【００３６】
次いで、圧着接合されたシートは、アーチドライヤー１０７内を通過しながら回転している上下一対の最終プレスローラー１０８、１０９間を通過して最終製品とされ、巻取りローラー１１０で巻き取られる。
【００３７】
このようにして、本機能性シートは製造され、更に、図１に示されているように、第１のシート体１０におけるシート基材１１の表面に、常法によって固定化光触媒加工が施される。
【００３８】
なお、図１において、第１のシート体１０におけるシート基材１１の混合物層１２、１２間の部分におけるシート面と、第２のシート体２０におけるシート基材２１のシート面は非接合の状態で表わされているが、これは断面構造を明確化するためであって、実際においては、一体的に接合していることは言うまでもない。
【００３９】
本機能性シートは、薄いシート状であるため、これを直接縫製したり、他の材料に縫合する等して、応用商品の製造が至って簡便である。
【００４０】
例えば、枕カバーに応用し、第２のシート体２０側を直接頭部と首部に接するようにすれば、含浸を含むコーティング層２２の機能である沈静作用による安眠効果と睡眠中の体調調整効果が得られると同時に、第１のシート体１０における混合物層１２の作用によりマイナスイオン効果と遠赤外線効果、保温効果が得られる。
【００４１】
又、下着等の肌着に応用し、第２のシート体２０側を直接肌に接するようにすれば、含浸を含むコーティング層２２の作用により、ビタミンＣ誘導体が皮膚に吸収されてビタミンＣに変化し、スキンケア及び免疫力の強化効果が得られ、又、スリミング成分によって、皮膚引き締め効果（スリミング効果）、血行促進、美白効果が得られ、同時に第１のシート体１０における混合物層１２の作用によりマイナスイオン効果と遠赤外線効果、保温効果が得られる。
【００４２】
又、老人用の肌着に応用すれば、前記諸効果に加え、消臭効果、抗菌効果が得られる。
【００４３】
又、カーテンや車の中のシート等に応用すれば、光触媒加工の施されたシートを介して高い消臭効果が得られる。
【００４４】
【発明の効果】
しかして、本発明によれば、加熱・加圧・加水等の特別な外的作用が無くともトルマリンのマイナスイオン効果と遠赤外線効果、保温・抗菌防臭効果が得られ、同時に皮膚引き締め効果（スリミング効果）、スキンケア及び免疫力の強化効果、安眠効果等の諸効果が得られる。
【００４５】
又、本機能性シートは、薄いシート状であって、耐洗濯性も良いから、直接縫製したり、他の材料に縫合する等して、多くの応用商品の製造が可能である。
【図面の簡単な説明】
【図１】本発明に係る機能性シートの一例での一部省略の断面図である。
【図２】第１のシート体の一部省略の平面図である。
【図３】図２の３−３線に沿った部分拡大断面図である。
【図４】第２のシート体の一部省略の平面図である。
【図５】図４の４−４線に沿った部分拡大断面図である。
【図６】本機能性シートの製造工程を示す概略模式図である。
【符号の説明】
１０    第１のシート体
１１、２１    シート基材
１２    混合物層
【図１】
0003721365.tif 000002
【図２】
0003721365.tif 000003
【図３】
0003721365.tif 000004
【図４】
0003721365.tif 000005
【図５】
0003721365.tif 000006
【図６】
0003721365.tif 000007